(57)【要約】【課題】電源の電力残量の低下を、当該電源を使用することなく使用者に通知することが可能な表示機能付きＩＣカードを提供する。【解決手段】利用者が表示機能付きＩＣカード１ａを取り出して太陽電池５に光が当たると、太陽電池５が生成した電気エネルギーがコンデンサ４１に蓄電される。コンデンサ４１の蓄電量が一定以上になると、電源電圧監視回路４３が駆動し、電源２５の電力残量を検出する。電力残量が所定値を下回る場合、電源電圧監視回路４３は、ＬＥＤ４を点灯させ、残量低下の旨を表示する。【選択図】図２
2012252666.tif 000002
【特許請求の範囲】
【請求項１】
制御部と、
ディスプレイと、
前記制御部を起動させるためのスイッチと、
前記スイッチがオン状態となった場合に前記制御部に電力を供給する電源と、
前記電源の電力の残量を検出する電源監視手段と、
前記電源監視手段が前記電源の電力の残量が所定値を下回ったことを検出した場合に、残量低下の旨を表示する表示手段と、
前記電源とは別の、前記電源監視手段および前記表示手段に電力を供給する蓄電可能な補助電源と、
を有することを特徴とする表示機能付きＩＣカード。
【請求項２】
前記補助電源が、太陽電池と、前記太陽電池で生成された電気エネルギーを蓄電するコンデンサとにより構成されることを特徴とする請求項１に記載の表示機能付きＩＣカード。
【請求項３】
前記表示手段は発光ダイオードであることを特徴とする請求項１または請求項２に記載の表示機能付きＩＣカード。
【請求項４】
オン状態となった場合に、前記補助電源から前記制御部に電力を供給するスイッチ部を更に具備し、
前記電源監視手段が前記電源の電力の残量が所定値を下回ったことを検出した場合に、前記スイッチ部がオン状態となり、前記補助電源から電力を供給された前記制御部が、前記ディスプレイに残量低下の旨を表示することを特徴とする請求項１から請求項３のいずれかに記載の表示機能付きＩＣカード。
【発明の詳細な説明】
【技術分野】
【０００１】
本発明は表示機能を備えた表示機能付きＩＣカードに関する。
【背景技術】
【０００２】
近年、ＩＣ（Ｉｎｔｅｇｒａｔｅｄ  Ｃｉｒｃｕｉｔ）カード本体に表示機能を備えたものが開発されている。表示機能付きＩＣカードには、例えば、接触式、あるいは非接触式の通信により取得した電子マネー残額等のデータをＩＣチップに記憶し、これを表示用ＣＰＵ等の制御部の制御によりディスプレイに表示するものや、ワンタイムパスワード（ＯＴＰ：Ｏｎｅ  Ｔｉｍｅ  Ｐａｓｓｗｏｒｄ）を生成し、これをディスプレイに表示するワンタイムパスワード生成器がある。ワンタイムパスワードは、生成されたパスワードをその場限りで使用するものであり、高度のセキュリティーを保つことが容易である。
【０００３】
これらの表示機能付きＩＣカードでは、ＩＣカードの制御部やディスプレイを駆動するための電源が必要であるが、電源の例としては、一次電池や二次電池などがある。例えば特許文献１、特許文献２には、非接触式の通信を行うＩＣカードに二次電池を用いる例が示されている。
【先行技術文献】
【特許文献】
【０００４】
【特許文献１】特開２００３−２７３３８６号公報
【特許文献２】特開２００１−６７４４６号公報
【発明の概要】
【発明が解決しようとする課題】
【０００５】
一次電池、二次電池を電源とする表示機能付きＩＣカードでは、電源の電力残量が少なくなり各種のデータを表示することができなくなった場合、ユーザインタフェースにてその旨をユーザに知らせることが望ましい。特に二次電池を搭載している場合、利用者に対し適切なタイミングで残量低下を通知し、充電を促す必要がある。
残量低下を通知する手段として、例えばカードに搭載しているディスプレイに電力残量を表示するなどの方法が考えられるが、何らかの電源は必要である。例えば、装備されている一次電池や二次電池自体を電源として使用して、残量低下をディスプレイ等に表示して使用者に通知することも可能であるが、この残量低下の表示に、一次電池や二次電池自体の電力を消費してしまうという問題がある。これによって、本来、表示機能付きＩＣカードにより実行される処理や表示に支障を来たす可能性もある。
【０００６】
本発明は、前述した問題点に鑑みてなされたもので、電源の電力残量の低下を、当該電源を使用することなく使用者に通知することが可能な表示機能付きＩＣカードを提供することを目的とする。
【課題を解決するための手段】
【０００７】
前述した目的を達するための本発明は、制御部と、ディスプレイと、前記制御部を起動させるためのスイッチと、前記スイッチがオン状態となった場合に前記制御部に電力を供給する電源と、前記電源の電力の残量を検出する電源監視手段と、前記電源監視手段が前記電源の電力の残量が所定値を下回ったことを検出した場合に、残量低下の旨を表示する表示手段と、前記電源とは別の、前記電源監視手段および前記表示手段に電力を供給する蓄電可能な補助電源と、を有することを特徴とする表示機能付きＩＣカードである。
【０００８】
本発明により、表示機能付きＩＣカードの電源の電力残量が低下したことを検出した場合には、利用者に残量低下を通知することが可能になる。これにより、利用者は、電源が充電可能な二次電池である場合には充電時期を、一次電池である場合には新たなＩＣカードへの更新の必要性を知ることが可能になる。そして、電力残量通知のための電源監視手段や表示手段については、蓄電可能な補助電源を別に用いるので、上記の通知に係り表示機能付きＩＣカードの電源を消費することもない。
【０００９】
前記補助電源が、太陽電池と、前記太陽電池で生成された電気エネルギーを蓄電するコンデンサとにより構成されることが好ましい。
これにより、利用者が表示機能付きＩＣカードを外部に取り出すだけで、太陽電池に光が照射されて生成された電気エネルギーがコンデンサに蓄電され、これを安定した補助電源として用いて上記の処理を行うことが可能になる。
【００１０】
前記表示手段は発光ダイオードであることが好ましい。
これにより、電力残量の低下の表示を省電力で行うことが可能になり、補助電源からの電力供給により長時間の表示を行い、残量低下の旨を長時間継続して通知することができるようになる。
【００１１】
また、第１の発明の表示機能付きＩＣカードが、オン状態となった場合に、前記補助電源から前記制御部に電力を供給するスイッチ部を更に具備し、前記電源監視手段が前記電源の電力の残量が所定値を下回ったことを検出した場合に、前記スイッチ部がオン状態となり、前記補助電源から電力を供給された前記制御部が、前記ディスプレイに残量低下の旨を表示することも好ましい。
これにより、ディスプレイに電源残量の低下を表示することが可能になる。さらに、電力残量などの詳細な情報もあわせて表示することも可能になる。
【発明の効果】
【００１２】
本発明により、電源の電力残量の低下を、当該電源を使用することなく使用者に通知することが可能な表示機能付きＩＣカードを提供することが可能になる。
【図面の簡単な説明】
【００１３】
【図１】第１の実施形態の表示機能付きＩＣカード１ａの外観図
【図２】第１の実施形態の表示機能付きＩＣカード１ａの内部構成を示すブロック図
【図３】第１の実施形態の表示機能付きＩＣカード１ａにおける電力残量監視・通知の流れについて説明する図
【図４】第２の実施形態の表示機能付きＩＣカード１ｂの外観図
【図５】第２の実施形態の表示機能付きＩＣカード１ｂの内部構成を示すブロック図
【発明を実施するための形態】
【００１４】
以下、図面を参照しながら、本発明の表示機能付きＩＣカードの実施形態について説明する。なお、本発明の表示機能付きＩＣカードの実施形態は、ワンタイムパスワード生成器を例として説明する。ただし、本発明の表示機能付きＩＣカードとしては、ワンタイムパスワード生成器に限られることはない。
【００１５】
［第１の実施形態］
まず、図１、２を参照しながら、本発明の第１の実施形態の表示機能付きＩＣカード１ａについて説明する。
【００１６】
図１は、表示機能付きＩＣカード１ａの外観図である。図１に示すように、表示機能付きＩＣカード１ａのカード本体２表面には、例えば、ディスプレイ３、ＬＥＤ（Ｌｉｇｈｔ  Ｅｍｉｔｔｉｎｇ  Ｄｉｏｄｅ）４、太陽電池５、スイッチ６等が設けられる。
【００１７】
ディスプレイ３は、例えば液晶ディスプレイ、電子ペーパ等であり、文字等のデータを表示する。
ＬＥＤ４は、表示機能付きＩＣカード１ａに内蔵されている電源の電力残量が低下し所定値を下回った場合に点灯することにより、電源の電力残量の低下の旨を表示する表示手段である。
太陽電池５は、電源の電力残量の低下の検出、およびＬＥＤ４の点灯のために用いる電気エネルギーを生成する。
スイッチ６は、利用者が表示機能付きＩＣカード１ａを使用する際にオン/オフ等するためのボタンである。
【００１８】
図２は、第１の実施形態に係る表示機能付きＩＣカード１ａの内部構成を示すブロック図である。表示機能付きＩＣカード１ａは、制御部２１、ディスプレイ３、ディスプレイ・ドライバ３１、電源２５、スイッチ６等に加え、電力残量監視・通知部４０を有する。
【００１９】
制御部２１は、ディスプレイ３へのデータの表示を制御するものであり、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）等のメモリや、外部入出力端子等がワンチップ化されたものである。制御部２１は、ディスプレイ・ドライバ３１、電源２５、スイッチ６と接続される。
制御部２１は、スイッチ６がオン状態とされると、電源２５から供給される電力により起動し、ＲＯＭ等のメモリに格納されたワンタイムパスワード生成用のプログラム等をＲＡＭに呼び出してＣＰＵにより実行してワンタイムパスワードを生成し、ディスプレイ３に表示する。
【００２０】
ディスプレイ・ドライバ３１は、ディスプレイ３と接続し、制御部２１による制御に従い、ディスプレイ３への表示を行う。
【００２１】
電源２５は、例えば薄型の一次電池あるいは二次電池であり、制御部２１に電力を供給する。電源２５が一次電池の場合、一次電池を使いきった時点が表示機能付きＩＣカード１ａの寿命である。電源２５が二次電池の場合は、二次電池の電力残量が低下すれば、充電することにより表示機能付きＩＣカード１ａを継続して使用することが可能である。
【００２２】
電力残量監視・通知部４０は、太陽電池５、コンデンサ４１、電源電圧監視回路４３、ＬＥＤ４等で構成され、電源２５の電力残量の低下を検出し、利用者に通知する機能を持つ。電力残量監視・通知部４０は太陽電池５が生成する電気エネルギーにより駆動される。
【００２３】
コンデンサ４１は太陽電池５と接続される。太陽電池５で生成された電気エネルギーはコンデンサ４１に蓄電される。コンデンサ４１の電力は電源電圧監視回路４３およびＬＥＤ４に供給される。
太陽電池５およびコンデンサ４１としては、既知のものを使用することが可能である。
【００２４】
電源電圧監視回路４３は、電源２５、コンデンサ４１、ＬＥＤ４に接続され、コンデンサ４１からの電力供給を受けて駆動し、電力残量として電源２５の電圧を検出する電源監視手段である。電源電圧監視回路４３は、電力残量として電源２５の電圧が所定値を下回った場合にはＬＥＤ４を点灯させるための信号を出力する。これにより、ＬＥＤ４がコンデンサ４１からの電力供給を受け点灯する。
【００２５】
次に、図３を用いて、表示機能付きＩＣカード１ａにおける電力残量監視・通知の流れについて説明する。
【００２６】
図３に示すように、まず、表示機能付きＩＣカード１ａを利用者が外部へ取り出すことにより、太陽電池５に光が照射され（ステップ１０１）、太陽電池５が生成した電気エネルギーがコンデンサ４１へ蓄電される（ステップ１０２）。
コンデンサ４１の蓄電量が一定量以上になると、コンデンサ４１からの電力により電源電圧監視回路４３が駆動する（ステップ１０３）。
【００２７】
電源電圧監視回路４３は、電源２５の電圧によりその電力残量を検出する（ステップ１０４）。
検出した電圧（電力残量）の値が所定値を下回る場合（ステップ１０５のＮｏ）、電源電圧監視回路４３は、ＬＥＤ４を点灯させるための信号を出力する（ステップ１０６）。これにより、ＬＥＤ４がコンデンサ４１からの電力供給を受けて点灯する（ステップ１０７）。上記の所定値は、予め電源電圧監視回路４３の設定により適当な値に定めておくことができる。
一方、電力残量が所定値以上である間は（ステップ１０５のＹｅｓ）、上記の処理を特に行わない。
【００２８】
以上の流れにより、ＬＥＤ４の点灯によって電力残量低下の旨を表示することで、利用者は、表示機能付きＩＣカード１ａの電力残量が低下していることを認識することが可能になる。
【００２９】
電力残量監視・通知部４０の処理は、制御部２１の処理とは独立して実行される。すなわち、スイッチ６のオンにより制御部２１が起動しているか否かに関わらず、利用者が表示機能付きＩＣカード１ａを外部へ取り出せば、上記の処理により、電源２５の電力残量が所定値を下回る場合にＬＥＤ４が点灯される。コンデンサ４１に蓄電されている間は、ＬＥＤ４の点灯は継続して行われる。
【００３０】
以上のように、本実施形態の表示機能付きＩＣカード１ａは、電源２５の電力を消費することなく、ＬＥＤ４の点灯により、利用者へ電力残量の低下を通知し、利用者にカードの交換（電源２５が一次電池の場合）、あるいは、充電（電源２５が二次電池の場合）を促すことが可能になる。
また、電源電圧監視回路４３やＬＥＤ４は、太陽電池５およびコンデンサ４１を用いた安定した補助電源により動作する。これにより、表示機能付きＩＣカード１ａが外部に取り出されさえすれば、前述の処理により電力残量の低下を通知することが可能になる。
また、残量低下の旨はＬＥＤ４の点灯により表示するので、これを省電力で行うことが可能になり、コンデンサ４１等からの電力供給により長時間の表示を行い、利用者に長時間継続して通知を行うことができるようになる。
【００３１】
［第２の実施形態］
次に、図４、図５を参照しながら、本発明の第２の実施形態に係る表示機能付きＩＣカード１ｂについて説明する。
【００３２】
図４は、表示機能付きＩＣカード１ｂの外観図である。図３に示すように、表示機能付きＩＣカード１ｂのカード本体２表面には、第１の実施形態の表示機能付きＩＣカード１ａと同様、ディスプレイ３、太陽電池５、スイッチ６等が設けられるが、第１の実施形態とは異なり、ＬＥＤ４が省略される。
【００３３】
図５は、第２の実施形態に係る表示機能付きＩＣカード１ｂの内部構成を示すブロック図である。表示機能付きＩＣカード１ｂは、制御部２１、ディスプレイ３、ディスプレイ・ドライバ３１、電源２５、スイッチ６等に加え、電力残量監視・通知部５０を有する。
【００３４】
制御部２１、ディスプレイ・ドライバ３１、ディスプレイ３、電源２５、スイッチ６は、第１の実施形態で説明したものと同様であるので、説明を省略する。
【００３５】
本実施形態の電力残量監視・通知部５０は、太陽電池５、コンデンサ４１、電源電圧監視回路５３、スイッチ回路５１等で構成される。
電力残量監視・通知部５０は、第１の実施形態と同様の太陽電池５およびコンデンサ４１により蓄電された電気エネルギーにより、電源２５の電力残量の低下の検出および残量低下の旨の表示を行うが、本実施形態の表示機能付きＩＣカード１ｂでは、ディスプレイ３を表示手段として残量低下の旨が表示される。
【００３６】
電源電圧監視回路５３は、電源２５、コンデンサ４１、スイッチ回路５１に接続され、コンデンサ４１からの電力供給により駆動して電源２５の電圧を電力残量として検出する。電源電圧監視回路５３は、電源２５の電圧（電力残量）が所定値を下回る場合、スイッチ回路５１に対し、スイッチ回路５１をオン状態とするための信号を出力する。
【００３７】
スイッチ回路５１は、コンデンサ４１、電源電圧監視回路５３、制御部２１に接続され、オン状態となった場合にコンデンサ４１の電力を制御部２１へを供給するスイッチ部である。一方、オフ状態ではコンデンサ４１からの電力供給を遮断する。
【００３８】
表示機能付きＩＣカード１ｂの電力残量監視・通知部５０の動作は、第１の実施形態と同様であるが、電源電圧監視回路５３により検出した電源２５の電圧（電力残量）が所定値を下回る場合（ステップ１０５のＮｏ）、電源電圧監視回路５３は、コンデンサ４１の電力を制御部２１に供給するべく、スイッチ回路５１をオン状態とするための信号をスイッチ回路５１に出力する。
【００３９】
これに伴いスイッチ回路５１がオン状態となり、コンデンサ４１の電力が制御部２１に供給される。制御部２１は、電源２５からではなく、スイッチ回路５１を介してコンデンサ４１から電力が供給されたことに応じて、ＲＯＭ等のメモリに予め格納されている電力残量低下表示プログラムを起動して、ディスプレイ・ドライバ３１を駆動し、ディスプレイ３に残量低下を示す表示を文字や絵柄などにより行う。
【００４０】
電力残量監視・通知部５０の処理も、制御部２１の処理とは独立して実行され、スイッチ６のオンにより制御部２１が駆動しているか否かに関わらず、利用者が表示機能付きＩＣカード１ｂを外部へ取り出せば、電源２５の電力残量が所定値を下回る場合にディスプレイ３にその旨を示す表示が行われる。コンデンサ４１に蓄電されている間は、ディスプレイ３の表示は継続して行われる。ディスプレイ３の表示についてはそれほど電力を消費しないので、太陽電池５による電力で十分にこれを行うことができる。
【００４１】
従って、本実施形態の表示機能付きＩＣカード１ｂでも、第１の実施形態で説明したものと同様の効果が得られる。
加えて、本実施形態では、ディスプレイ３に表示を行うので、電力残量等の詳細な情報を表示することも可能になる。例えば電源電圧監視回路５３により検出した電圧の値に応じた信号を制御部２１へと出力し、制御部２１にて当該信号に応じた電力残量等の情報を表示することができる。第１の実施形態のＬＥＤ４の構成を追加しＬＥＤ４による表示を併用することも可能である。
【００４２】
なお、以上の実施形態においては、コンデンサ４１への蓄電は太陽電池５を用いて行ったが、これに限らず、例えば、圧電素子より発生する電気エネルギーをコンデンサ４１へ蓄電するようにしてもよい。
すなわち、表示機能付きＩＣカードに圧電素子を設け、カードを曲げたり振ったりすることにより加わる力を、圧電素子により電気エネルギーに変換し、整流回路等を介してコンデンサ４１に蓄電することも可能である。
【００４３】
また、本発明の実施形態の説明は、ワンタイムパスワード生成器を例に挙げて行ったが、表示機能付きＩＣカードとしては、非接触式や接触式の通信を行い電子マネー残額等のデータをＩＣチップに記憶し、スイッチの押下により制御部を起動させディスプレイへ電子マネー残額等の表示を行う機能を有する電子マネーカード等であってもよい。
この場合、図２や図５の構成に加え、上記のＩＣチップが制御部２１に接続される構成となる。また、接触式の通信を行うための接触端子や非接触式の通信を行うためのアンテナ（コイル）がカードに設けられる。電力残量監視・通知部４０（５０）の構成や動作は上記の実施形態で説明したものと同様とすることができる。
【００４４】
以上、添付図面を参照しながら、本発明の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００４５】
１ａ、１ｂ………表示機能付きＩＣカード
２………カード本体
３………ディスプレイ
４………ＬＥＤ
５………太陽電池
６………スイッチ
２１………制御部
２５………電源
４０、５０………電力残量監視・通知部
４３、５３………電源電圧監視回路
５１………スイッチ回路
【図１】
2012252666.tif 000003
【図２】
2012252666.tif 000004
【図３】
2012252666.tif 000005
【図４】
2012252666.tif 000006
【図５】
2012252666.tif 000007